(57)【要約】【課題】外観を損なうことなく、またレンズを正しい位置に配置することをできるような落下防止対策が施された撮影装置を提供する。【解決手段】  ストラップ取付部１５に取り付けたストラップ１４を持ってこのカメラ１を吊り下げたときのそのカメラ１の下端部に、下端部以外の部分と比べ衝撃吸収性の高い衝撃吸収パンパとしてゴム１６を設ける。このカメラ１をストラップ１４を持って携帯しているときにこのカメラ１が落下したとしてもゴム１６により衝撃が和らげられる。【選択図】    図１
2005300670.tif 000002
【特許請求の範囲】
【請求項１】
被写体像を捉えることにより撮影を行なう撮影装置において、
ストラップが取り付けられるストラップ取付部と、
前記ストラップ取付部に取り付けたストラップを持ってこの撮影装置を吊り下げたときの該撮影装置の下端部に、該下端部以外の部分と比べ衝撃吸収性の高い衝撃吸収パンパを備えたことを特徴とする撮影装置。
【請求項２】
繰出し沈胴自在な鏡胴を備え該鏡胴から入射してきた被写体光を結像させて被写体像を捉えることにより撮影を行なう撮影装置において、
前記ストラップ取付部に取り付けたストラップによってこの撮影装置が吊り下げられた状態にあるか否かを検出する吊下検出センサと、
前記吊下検出センサによりこの撮影装置の吊下げが検出されたことを受けて前記鏡胴を沈胴状態に移行させる鏡胴制御部とを備えたことを特徴とする撮影装置。
【請求項３】
繰出し沈胴自在な撮影光学系と該撮影光学系により結像された被写体像を捉えて画像信号を生成する撮像素子とが組み込まれた鏡胴ユニットと、
前記鏡胴ユニットを支えるボディ部とを備えた撮影装置において、
前記ボディ部が、繰出状態にある鏡胴ユニットが前方から衝撃を受けたときに、繰出し状態のまま該鏡胴ユニットが該ボディ部内側に移動するスペースを有し、
前記鏡胴ユニットが、該鏡胴ユニット外壁に、光軸方向に延び後端部にクリック穴が設けられた長溝を有し、
前記鏡胴ユニットが、該クリック穴に嵌入し繰出状態にある鏡胴ユニットに前方から衝撃が加わったときに該クリック穴から外れて前記長溝内を摺動するクリックシャフトを介して該ボディ部に取付けられていることを特徴とする撮影装置。
【発明の詳細な説明】
【技術分野】
【０００１】
本発明は、被写体像を捉えることにより撮影を行なう撮影装置に関する。
【背景技術】
【０００２】
カメラなどの撮影装置は携帯することを前提として設計されているので携帯中の落下事故に対しても充分な対策がなされているものが多い。その中にはカメラボディに衝撃吸収用のバンパー構造を付加したもの（例えば特許文献１〜４参照）や、カメラを使用しないことを検出したときに鏡胴を沈胴させることによってレンズを保護するもの（例えば特許文献５〜７）や、鏡胴内のレンズ支持部にバンパー機構を設けたもの（例えば特許文献８〜１０参照）などがある。特許文献５に記載されているセンサを利用してそのセンサによる検出信号に基づいて制御部に鏡胴を沈胴させるだけでなく、電池からの電力の供給を遮断させる制御を行なわせるようにしたものもある（特許文献１１参照）。
【０００３】
特許文献１〜４のものにあっては、カメラボディの外周に取り付けられたストラップなどにバンパー機能を併せ持たせたり、カメラボディを覆うカメラガードなどをカメラボディに組み付けたりするため、折角使い易さ、見た目を考えてデザインされたカメラボディの外観がそれらの部材によって損なわれしまうという問題がある。
【０００４】
また、特許文献５〜６のものにあっては、カメラボディから手を離したことを検出するセンサをカメラボディ表面に設けたり、ストラップの張力を検出するセンサをストラップの取付部などに設けたりしてカメラを使用しないことを検出しているため、そのカメラを使用する場合においてもカメラボディ表面のセンサ付近には触れずに撮影したり、ストラップを握りながら撮影したりするとセンサが反応してしまう恐れがある。また特許文献７のものにおいても同様であって手ぶれ用のセンサを落下検出用と兼用しているため、手ぶれの状態が大きいと、落下していないのに落下したと誤って判定しまう恐れがある。
【０００５】
また、特許文献８〜１０のように鏡胴内のレンズの支持部付近にバンパー構造例えばバネを設けると、操作に応じて所定のレンズ位置にレンズを配置したはずなのに、その所定のレンズ位置にレンズを配置することができない場合がある。
【特許文献１】実開平７−２６８３７号公報
【特許文献２】特開平９−２１１７１８号公報
【特許文献３】特開平９−８３６２２号公報
【特許文献４】実開平５−３７８７９号公報
【特許文献５】特開２００１−３０５６３５号公報
【特許文献６】特開２００３−１５２０５号公報
【特許文献７】特開平９−６１８６９号公報
【特許文献８】特開２００１−１１６９７４号公報
【特許文献９】特開平８−１１０４５４号公報
【特許文献１０】実開平６−５４０１４号公報
【特許文献１１】特開２０００−３９６４５号公報
【発明の開示】
【発明が解決しようとする課題】
【０００６】
本発明は、上記事情に鑑み、デメリットを抑えつつ落下事故に対して充分な対策がなされた撮影装置を提供することを目的とする。
【課題を解決するための手段】
【０００７】
上記目的を達成する本発明の第１の撮影装置は、被写体像を捉えることにより撮影を行なう撮影装置において、
ストラップが取り付けられるストラップ取付部と、
上記ストラップ取付部に取り付けたストラップを持ってこの撮影装置を吊り下げたときの該撮影装置の下端部に、該下端部以外の部分と比べ衝撃吸収性の高い衝撃吸収パンパを備えたことを特徴とする。
【０００８】
上記本発明の第１の撮影装置によれば、ストラップを持ってこの第１の撮影装置を吊下げたまま携帯しているときにこの撮影装置を落としたとしても、上記衝撃吸収バンパによって落下時の衝撃が吸収される。この衝撃吸収バンパとして例えばゴムを用いると、外装カバーと一体的に衝撃吸収バンパを設けることができる。その結果衝撃吸収バンパをカメラの外周部に設けても、外観が損なわれるというデメリットを抑えつつ、携帯中の落下事故に対して充分な対策がなされた撮影装置が実現される。
【０００９】
上記目的を達成する本発明の第２の撮影装置は、繰出し沈胴自在な鏡胴を備えその鏡胴から入射してきた被写体光を結像させて被写体像を捉えることにより撮影を行なう撮影装置において、
上記ストラップ取付部に取り付けたストラップによってこの撮影装置が吊り下げられた状態にあるか否かを検出する吊下検出センサと、
上記吊下検出センサによりこの撮影装置の吊下げが検出されたことを受けて前記鏡胴を沈胴状態に移行させる鏡胴制御部とを備えたことを特徴とする。
【００１０】
上記本発明の第２の撮影装置によれば、ストラップを持ってこの第２の撮影装置が吊り下げられた状態にあるときに鏡胴制御部の制御の基に鏡胴が沈胴状態に移行する。いままであれば上記ストラップをもったまま撮影しているようなときに誤まった検出が行なわれて撮影中に鏡胴が沈胴してしまうようなことがあった。
【００１１】
しかしこの第２の撮影装置によれば、この第２の撮影装置が吊り下げていることが上記鏡胴制御部によって確実に判定され、この第２の撮影装置が吊下げられていると判定されたときにのみ沈胴状態へ移行させる制御を行なわせることができる。例えば上記吊下げ検出センサに近接スイッチを設けて、吊下げられている状態のときにのみ、その近接スイッチがオフするような構成にしておけばいままでのような誤りが低減され、確実に吊下げが検出される。この結果、使用する状態にあるのに使用されない状態にあるといったような誤判定が行なわれるというデメリットを抑えつつ充分な対策がなされた撮影装置が実現される。
【００１２】
上記目的を達成する本発明の第３の撮影装置は、繰出し沈胴自在な撮影光学系とその撮影光学系により結像された被写体像を捉えて画像信号を生成する撮像素子とが組み込まれた鏡胴ユニットと前記鏡胴ユニットを支えるボディ部とを備えた撮影装置において、
上記ボディ部が、繰出状態にある鏡胴ユニットが前方から衝撃を受けたときに、繰出し状態のままその鏡胴ユニットがそのボディ部内側に移動するスペースを有し、
上記鏡胴ユニットが、その鏡胴ユニット外壁に、光軸方向に延び後端部にクリック穴が設けられた長溝を有し、
上記鏡胴ユニットが、そのクリック穴に嵌入し繰出状態にある鏡胴ユニットに前方から衝撃が加わったときにそのクリック穴から外れて上記長溝内を摺動するクリックシャフトを介してそのボディ部に取付けられていることを特徴とする。
【００１３】
上記本発明の第３の撮影装置によれば、繰出し状態のままこの撮影装置を落としても、上記クリックシャフトが上記長溝を摺動することによって鏡胴ユニットへの衝撃が和らげるられる。またクリック穴に嵌入することで鏡胴が位置決めされるのでいままでのようにレンズ支持部にバネを設けたために位置がずれてしまうといったこともない。
【００１４】
この結果、撮影光学系が正しい位置に配置されないというデメリットを抑えつつ充分な落下対策がなされた撮影装置が実現される。
【発明の効果】
【００１５】
以上、説明したように、デメリットを抑えつつ落下事故に対して充分な対策がなされた撮影装置が実現される。
【発明を実施するための最良の形態】
【００１６】
以下図面を参照して本発明の実施の形態を説明する。
【００１７】
図１は本発明の撮影装置の一実施形態であるカメラ１の外観を示す図である。
【００１８】
図１に示すようにカメラボディ１ａ中央に鏡胴１００が配備されている。その鏡胴１００の上方にはファインダ１１が、またそのファインダ１１の隣には閃光発光窓１２が設けられている。またカメラボディ１ａ上面にはレリーズ釦１３が設けられており、そのレリーズ釦１３の反対の側にはこのカメラ１を携帯するときに用いられるストラップ１４がストラップ取付部１５に取り付けられている。またこのカメラ１は、そのストラップ１４を持ってこのカメラ１を吊り下げたときのそのカメラ１の下端部に、下端部以外の部分と比べ衝撃吸収性の高い衝撃吸収パンパとしてゴム１６を備えている。
【００１９】
このようにしておくと、ストラップ１４を持ってこのカメラ１を吊下げたときに誤ってこのカメラ１を落とすことがあっても吊下げたときのカメラの下端部にあるゴム１６が衝撃吸収用のバンパーとなって働いて落下の衝撃が和らげられる。またこのようなゴム１６には様々な色のものや弾力係数の異なるものがある。そこで図１に示すカメラ１ではこれらをうまく使ってそのゴムを外装カバーに組み込むようなことを行なっているのでカメラボディ１ａの外観を損なうことがない。
【００２０】
また、このカメラ１は、カメラ１を使用しないことをストラップ１４の取付部１５に設けたセンサ１５１を用いて検出しているのでその構成を説明する。
【００２１】
図２はそのストラップ１４の取付部１５の構造を示す図である。
【００２２】
図２に示すように、カメラボディ１ａに設けた孔１０ａに取付金具１５０が嵌挿されている。その取付金具１５０のカメラボディ１ａ表面から露出する部分には、ストラップ１４が通される孔１５１が設けられており、カメラボディ１ａ内部に嵌挿される部分には上記孔１０ａの径よりも大きな径を持つ鍔部１５２が設けられている。その鍔部１５２からカメラボディ１ａに向かって張力調整用のスプリング１５２１、１５２２が複数本ここでは２本張り出しており、それらのスプリング１５２１，１５２２の先端がカメラボディ１ａにそれぞれ取り付けられている。
【００２３】
つまりストラップ１４を持ってこのカメラ１が吊下げられたときにはその取付金具１５０がカメラボディ１ａ側に移動してその取付金具１５０の鍔１５２がカメラボディ１ａの孔１０ａの周縁部に当接することによってストラップ１４がカメラボディ１ａにしっかりと支持され、そのストラップ１４が離されて手などに持たれていないときには取付金具１５０がカメラボディ内に沈降する方向に移動してスプリング１５２１，１５２２によって弾性的にその取付金具１５０が支持される。その取付金具１５０が沈降する方向の下方に吊下検出センサ１５３として近接スイッチが設けられている。その近接スイッチ１５３で検出された検出信号がＣＰＵへ供給されている。このＣＰＵが鏡胴制御部にあたり、そのＣＰＵによってこのカメラ１がストラップ１４を持って吊り下げられた状態にあるか否かが検出され、このカメラの吊下げが検出されたことを受けて鏡胴を沈胴状態に移行させている。
【００２４】
ここではこのカメラ１がストラップ１４を持って吊下げられて鍔１５２が孔１０ａの周縁部に当接している状態にあるときにのみ近接スイッチ１５３がオフする位置に近接スイッチ１５３が設けられており、ＣＰＵが近接スイッチ１５３のオフしている時間を計時して所定の時間を超えたときにのみ例えば鏡胴モータを駆動するドライバ部に指示を与えて鏡胴を沈胴状態に移行させるような制御を行なっている。
【００２５】
このようにすると、このカメラ１がストラップ１４を持って確実に吊下げられたことが検出されて撮影中に誤って鏡胴１０が沈胴状態に移行してしまう危険率がかなりの率で低減される。もし特許文献５のものと同様にセンサのオンオフ回数をカウントするのであれば、ユーザに閾値用の回数を任意に設定させるようにしておくと都合が良く、ユーザに閾値用の回数を任意に設定させることでカメラが落下防止機能を持っていて撮影中であってもその落下防止機能が働いて鏡胴が沈胴状態に移行することが在り得るということがはっきりとユーザに伝えられる。
【００２６】
また、図１に示すカメラが備える鏡胴は繰出し沈胴自在であって、撮影時には繰出されて使用される。このため図１に示すカメラでは図１に示す繰出し状態にあるときの落下事故に対しても更なる対策がなされている。
【００２７】
そこで、この実施形態のカメラ１には、鏡胴１００が繰出されたまま落とされてもその衝撃が吸収されるような構造がカメラボディ内部に設けられている。
【００２８】
図３〜図５は、その繰出し状態にあるときにカメラ１を落としたときに衝撃を吸収する構造を説明する図である。
【００２９】
図３に示すように鏡胴１００に内蔵されている撮影光学系とその撮影光学系により結像された被写体像を捉えて画像信号を生成する撮像素子１０２とが組み込まれた鏡胴ユニット１０が４本のスプリング１００５〜１００８を介して弾力的にカメラボディ１ａに支えられている。ここでは図３、図４、図５に示すように、鏡胴ユニット１０が、その鏡胴ユニット外壁１０１に、光軸方向に延び後端部（符号Ｐで示す位置）にクリック穴１００ａ（図５参照）が設けられた長溝１０１０を有し、鏡胴ユニット１０が、そのクリック穴１００ａに嵌入し繰出状態にある鏡胴ユニット１０に前方から衝撃が加わったときにそのクリック穴１０１ａ（図５参照）から外れて長溝１０１内を摺動する４本のクリックシャフト１００１，１００２，１００３（図４には４本のうちの３本が示されている）、さらに４本のスプリング１００５〜１００８を介してカメラボディ部１ａに取付けられている（図４参照）。
【００３０】
また、図４に示すように撮像素子１０２の後方には、その鏡胴ユニット１０が繰出し状態にあって前方から衝撃を受けたときに、繰出し状態（図中符号Ｂで示した長さ分繰出される）のまま鏡胴ユニット１０がそのカメラボディ１ａ部内側に移動するスペース（図中符号Ｃで示した長さを持つスペース）が設けられている。この例では図４に示すようにそのスペースを確保するために、カメラボディ１ａ側から撮像素子１０２の位置にまで達するガイドシャフト１０４１，１０４２（図４には４本中の２本が示されている）が４本設けられ、それらのガイドシャフト１０４１，１０４２がカメラボディ側の支持板１０３と撮像素子１０２を支持する支持板１０２ａとの双方の穴に挿通され、さらにそれらのガイドシャフト１０４１，１０４２それぞれにスプリング１０５１，１０５２（図４には４本中の２本が示されている）が巻回されている。このような構成にすると、鏡胴１００を繰出したまま落としても鏡胴ユニット１０が弾力的に受け止められて鏡胴１００が破損することのない構造が実現される。
【００３１】
ここで、長溝１０１０の長さと鏡胴１００が繰出したときの長さと撮像素子１０２の後方のスペースの光軸方向の長さの関係を図３、図４を参照して説明しておく。
【００３２】
図３中に鏡胴１０が繰出す長さを符号Ｂで、同じ図３中に長溝の長さを符号Ａで、また図４中撮像素子１０２の後方に設けられたスペースの長さを符号Ｃでそれぞれ示してある。これらの長さに次式のような関係を持たせると、落下時に繰出された鏡胴が衝撃を受けたとしても鏡胴が破損しない。
【００３３】
Ａ＞Ｃ＞Ｂ                              式１
つまり、式１の関係があると、落下によって鏡胴ユニット１０が撮像素子１０２側に動いたとしてもその動きがその繰出し長さよりも長い長溝１０１０と同じく繰出し長さよりも長いスペース内に配備されたスプリング１０５１，１０５２によって吸収される。
【００３４】
その結果、鏡胴１００が繰り出されたままこのカメラ１が落ちても、鏡胴ユニット１０に加えられる衝撃が図３から図５に示した構造によって受け止められて鏡胴が破損する恐れが全くといっていい程なくなる。
【００３５】
以上説明したように、外観を損なうというデメリットを抑えつつ、また使用する状態にあるのに使用されない状態にあるといったような誤判定が行なわれるというデメリットを抑えつつ、さらに撮影光学系が正しい位置に配置されないというデメリットを抑えつつ、落下事故に対して充分な対策がなされた撮影装置が実現される。
【図面の簡単な説明】
【００３６】
【図１】本発明の一実施形態であるカメラの外観を示す図である。
【図２】ストラップの取付部の構造を示す図である。
【図３】鏡胴ユニットを前方斜め上方から見た図である。
【図４】図３の鏡胴ユニットがカメラボディに取り付けられている状態を示す図である。
【図５】図３、図４に示すクリックシャフトが嵌入される長溝の撮像素子側の端部に設けられたクリック穴を示す図である。
【符号の説明】
【００３７】
１    カメラ
１０    鏡胴ユニット
１００    鏡胴
１００ａ    クリック穴
１００１  １００２  １００３  クリックシャフト
１００５〜１００８    スプリング
１０１    鏡胴ユニット外壁
１０１０  １０１１  １０１２  長溝
１０２    撮像素子
１０２ａ    支持板
１０３    支持板
１０４１  １０４２    ガイドシャフト
１０５１  １０５２    スプリング
１１    ファインダ
１２    閃光発光窓
１３    レリーズ釦
１４    ストラップ
１５    ストラップ取付部
１５０    取付金具
１５１    孔
１５２    鍔
１５３    吊下げ検出センサ（近接スイッチ）
１６    衝撃吸収バンパ
【図１】
2005300670.tif 000003
【図２】
2005300670.tif 000004
【図３】
2005300670.tif 000005
【図４】
2005300670.tif 000006
【図５】
2005300670.tif 000007